【手続補正書】
【提出日】平成18年10月10日(2006.10.10)
【手続補正１】
【補正対象書類名】特許請求の範囲
【補正対象項目名】全文
【補正方法】変更
【補正の内容】
【特許請求の範囲】
【請求項１】
複数の記録再生装置と制御装置とを有する記録再生システムであって、
前記複数の記録再生装置がそれぞれ備える記憶領域を、連続した１つの仮想記憶領域として管理する領域管理手段と、
前記制御装置が送信したコマンドを受信し、該コマンドの内容に応じて、前記仮想記憶領域において記録または再生を行う記録再生手段と
を有することを特徴とする記録再生システム。
【請求項２】
自装置を含む複数の記録再生装置と制御装置とを有する記録再生システムにおける記録再生装置であって、
前記複数の記録再生装置がそれぞれ備える記憶領域を、連続した１つの仮想記憶領域として管理する領域管理手段と、
前記制御装置が送信したコマンドを受信し、該コマンドの内容に応じて、前記仮想記憶領域において記録または再生を行う記録再生手段と
を有することを特徴とする記録再生装置。
【請求項３】
複数の記録再生装置と制御装置とを有する記録再生システムであって、
前記複数の記録再生装置のうち１つに制御モードを設定し、残りの記録再生装置に、前記制御モードが設定された記録再生装置によって制御される被制御モードを設定するモード設定手段と、
前記制御モードが設定された記録再生装置に設けられ、前記複数の記録再生装置がそれぞれ備える記憶領域を、連続した１つの仮想記憶領域として管理する領域管理手段と、
前記制御モードが設定された記録再生装置に設けられ、前記制御装置が送信したコマンドを受信し、該コマンドの内容に応じて、前記仮想記憶領域において記録または再生を行う記録再生手段と
を有することを特徴とする記録再生システム。
【請求項４】
複数の記録再生装置と制御装置とを有する記録再生システムであって、
前記複数の記録再生装置のうち制御モードが設定された記録再生装置に設けられ、前記複数の記録再生装置の各々における少なくとも記憶領域に関する所定情報をそれぞれ収集し、該各所定情報を記憶装置に格納する収集格納手段と、
前記制御モードが設定された記録再生装置に設けられ、前記記憶装置に格納された各所定情報に基づき、前記複数の記録再生装置がそれぞれ備える記憶領域を、連続した１つの仮想記憶領域として管理する領域管理手段と、
前記制御モードが設定された記録再生装置に設けられ、前記制御装置が送信したコマンドを受信し、該コマンドの内容に応じて、前記仮想記憶領域において記録または再生を行う記録再生手段と
を有することを特徴とする記録再生システム。
【請求項５】
複数の記録再生装置と制御装置とを有する記録再生システムに適用される記録再生方法であって、
前記複数の記録再生装置がそれぞれ備える記憶領域を、連続した１つの仮想記憶領域として管理する領域管理ステップと、
前記制御装置が送信したコマンドを受信し、該コマンドの内容に応じて、前記仮想記憶領域において記録または再生を行う記録再生ステップと
を有することを特徴とする記録再生方法。
【請求項６】
複数の記録再生装置と制御装置とを有する記録再生システムに適用される記録再生方法であって、
前記複数の記録再生装置のうち１つに制御モードを設定し、残りの記録再生装置に、前記制御モードが設定された記録再生装置によって制御される被制御モードを設定するモード設定ステップと、
前記制御モードが設定された記録再生装置が、前記複数の記録再生装置がそれぞれ備える記憶領域を、連続した１つの仮想記憶領域として管理する領域管理ステップと、
前記制御モードが設定された記録再生装置が、前記制御装置が送信したコマンドを受信し、該コマンドの内容に応じて、前記仮想記憶領域において記録または再生を行う記録再生ステップと
を有することを特徴とする記録再生方法。
【請求項７】
複数の記録再生装置と制御装置とを有する記録再生システムに適用される記録再生方法であって、
前記複数の記録再生装置のうち制御モードが設定された記録再生装置が、前記複数の記録再生装置の各々における少なくとも記憶領域に関する所定情報をそれぞれ収集し、該各所定情報を記憶装置に格納する収集格納ステップと、
前記制御モードが設定された記録再生装置が、前記記憶装置に格納された各所定情報に基づき、前記複数の記録再生装置がそれぞれ備える記憶領域を、連続した１つの仮想記憶領域として管理する領域管理ステップと、
前記制御モードが設定された記録再生装置が、前記制御装置が送信したコマンドを受信し、該コマンドの内容に応じて、前記仮想記憶領域において記録または再生を行う記録再生ステップと
を有することを特徴とする記録再生方法。
【請求項８】
複数の記録再生装置と制御装置とを有する記録再生システムに適用される記録再生方法を、コンピュータに実行させるためのプログラムであって、
前記記録再生方法が、
前記複数の記録再生装置がそれぞれ備える記憶領域を、連続した１つの仮想記憶領域として管理する領域管理ステップと、
前記制御装置が送信したコマンドを受信し、該コマンドの内容に応じて、前記仮想記憶領域において記録または再生を行う記録再生ステップと
を有することを特徴とするプログラム。
【請求項９】
複数の記録再生装置と制御装置とを有する記録再生システムに適用される記録再生方法を、コンピュータに実行させるためのプログラムであって、
前記記録再生方法が、
前記複数の記録再生装置のうち１つに制御モードを設定し、残りの記録再生装置に、前記制御モードが設定された記録再生装置によって制御される被制御モードを設定するモード設定ステップと、
前記制御モードが設定された記録再生装置が、前記複数の記録再生装置がそれぞれ備える記憶領域を、連続した１つの仮想記憶領域として管理する領域管理ステップと、
前記制御モードが設定された記録再生装置が、前記制御装置が送信したコマンドを受信し、該コマンドの内容に応じて、前記仮想記憶領域において記録または再生を行う記録再生ステップと
を有することを特徴とするプログラム。
【請求項１０】
複数の記録再生装置と制御装置とを有する記録再生システムに適用される記録再生方法を、コンピュータに実行させるためのプログラムであって、
前記記録再生方法が、
前記複数の記録再生装置のうち制御モードが設定された記録再生装置が、前記複数の記録再生装置の各々における少なくとも記憶領域に関する所定情報をそれぞれ収集し、該各所定情報を記憶装置に格納する収集格納ステップと、
前記制御モードが設定された記録再生装置が、前記記憶装置に格納された各所定情報に基づき、前記複数の記録再生装置がそれぞれ備える記憶領域を、連続した１つの仮想記憶領域として管理する領域管理ステップと、
前記制御モードが設定された記録再生装置が、前記制御装置が送信したコマンドを受信し、該コマンドの内容に応じて、前記仮想記憶領域において記録または再生を行う記録再生ステップと
を有することを特徴とするプログラム。
【手続補正２】
【補正対象書類名】明細書
【補正対象項目名】発明の名称
【補正方法】変更
【補正の内容】
【発明の名称】記録再生システム、記録再生装置、記録再生方法およびプログラム
【手続補正３】
【補正対象書類名】明細書
【補正対象項目名】０００１
【補正方法】変更
【補正の内容】
【０００１】
本発明は、複数の記録再生装置と制御装置とを有する記録再生システム、該記録再生システムに適用される記録再生方法、該記録再生方法をコンピュータに実行させるためのプログラム等に関する。
【手続補正４】
【補正対象書類名】明細書
【補正対象項目名】００１３
【補正方法】変更
【補正の内容】
【００１３】
本発明はこのような問題点に鑑みてなされたものであって、ハードディスクを使用した記録再生装置を複数備えたシステムにおいて、単純な操作で複数の記録再生装置に亘って連続してビデオデータを自動的に記録でき、しかも同期をとって連続して再生することができる記録再生システム、記録再生装置、記録再生方法およびプログラムを提供することを目的とする。
【手続補正５】
【補正対象書類名】明細書
【補正対象項目名】００１４
【補正方法】変更
【補正の内容】
【００１４】
本発明に係る記録再生システムの１つは、複数の記録再生装置と制御装置とを有する記録再生システムであって、前記複数の記録再生装置がそれぞれ備える記憶領域を、連続した１つの仮想記憶領域として管理する領域管理手段と、前記制御装置が送信したコマンドを受信し、該コマンドの内容に応じて、前記仮想記憶領域において記録または再生を行う記録再生手段とを有することを特徴とする。
【手続補正６】
【補正対象書類名】明細書
【補正対象項目名】００１５
【補正方法】変更
【補正の内容】
【００１５】
本発明に係る記録再生装置は、自装置を含む複数の記録再生装置と制御装置とを有する記録再生システムにおける記録再生装置であって、前記複数の記録再生装置がそれぞれ備える記憶領域を、連続した１つの仮想記憶領域として管理する領域管理手段と、前記制御装置が送信したコマンドを受信し、該コマンドの内容に応じて、前記仮想記憶領域において記録または再生を行う記録再生手段とを有することを特徴とする。
【手続補正７】
【補正対象書類名】明細書
【補正対象項目名】００１６
【補正方法】変更
【補正の内容】
【００１６】
本発明に係る記録再生システムの１つは、複数の記録再生装置と制御装置とを有する記録再生システムであって、前記複数の記録再生装置のうち１つに制御モードを設定し、残りの記録再生装置に、前記制御モードが設定された記録再生装置によって制御される被制御モードを設定するモード設定手段と、前記制御モードが設定された記録再生装置に設けられ、前記複数の記録再生装置がそれぞれ備える記憶領域を、連続した１つの仮想記憶領域として管理する領域管理手段と、前記制御モードが設定された記録再生装置に設けられ、前記制御装置が送信したコマンドを受信し、該コマンドの内容に応じて、前記仮想記憶領域において記録または再生を行う記録再生手段とを有することを特徴とする。
【手続補正８】
【補正対象書類名】明細書
【補正対象項目名】００１７
【補正方法】変更
【補正の内容】
【００１７】
本発明に係る記録再生システムの１つは、複数の記録再生装置と制御装置とを有する記録再生システムであって、前記複数の記録再生装置のうち制御モードが設定された記録再生装置に設けられ、前記複数の記録再生装置の各々における少なくとも記憶領域に関する所定情報をそれぞれ収集し、該各所定情報を記憶装置に格納する収集格納手段と、前記制御モードが設定された記録再生装置に設けられ、前記記憶装置に格納された各所定情報に基づき、前記複数の記録再生装置がそれぞれ備える記憶領域を、連続した１つの仮想記憶領域として管理する領域管理手段と、前記制御モードが設定された記録再生装置に設けられ、前記制御装置が送信したコマンドを受信し、該コマンドの内容に応じて、前記仮想記憶領域において記録または再生を行う記録再生手段とを有することを特徴とする。
【手続補正９】
【補正対象書類名】明細書
【補正対象項目名】００１８
【補正方法】変更
【補正の内容】
【００１８】
本発明に係る記録再生方法の１つは、複数の記録再生装置と制御装置とを有する記録再生システムに適用される記録再生方法であって、前記複数の記録再生装置がそれぞれ備える記憶領域を、連続した１つの仮想記憶領域として管理する領域管理ステップと、前記制御装置が送信したコマンドを受信し、該コマンドの内容に応じて、前記仮想記憶領域において記録または再生を行う記録再生ステップとを有することを特徴とする。
【手続補正１０】
【補正対象書類名】明細書
【補正対象項目名】００１９
【補正方法】変更
【補正の内容】
【００１９】
本発明に係る記録再生方法の１つは、複数の記録再生装置と制御装置とを有する記録再生システムに適用される記録再生方法であって、前記複数の記録再生装置のうち１つに制御モードを設定し、残りの記録再生装置に、前記制御モードが設定された記録再生装置によって制御される被制御モードを設定するモード設定ステップと、前記制御モードが設定された記録再生装置が、前記複数の記録再生装置がそれぞれ備える記憶領域を、連続した１つの仮想記憶領域として管理する領域管理ステップと、前記制御モードが設定された記録再生装置が、前記制御装置が送信したコマンドを受信し、該コマンドの内容に応じて、前記仮想記憶領域において記録または再生を行う記録再生ステップとを有することを特徴とする。
【手続補正１１】
【補正対象書類名】明細書
【補正対象項目名】００２０
【補正方法】変更
【補正の内容】
【００２０】
本発明に係る記録再生方法の１つは、複数の記録再生装置と制御装置とを有する記録再生システムに適用される記録再生方法であって、前記複数の記録再生装置のうち制御モードが設定された記録再生装置が、前記複数の記録再生装置の各々における少なくとも記憶領域に関する所定情報をそれぞれ収集し、該各所定情報を記憶装置に格納する収集格納ステップと、前記制御モードが設定された記録再生装置が、前記記憶装置に格納された各所定情報に基づき、前記複数の記録再生装置がそれぞれ備える記憶領域を、連続した１つの仮想記憶領域として管理する領域管理ステップと、前記制御モードが設定された記録再生装置が、前記制御装置が送信したコマンドを受信し、該コマンドの内容に応じて、前記仮想記憶領域において記録または再生を行う記録再生ステップとを有することを特徴とする。
【手続補正１２】
【補正対象書類名】明細書
【補正対象項目名】００２１
【補正方法】変更
【補正の内容】
【００２１】
本発明に係るプログラムの１つは、複数の記録再生装置と制御装置とを有する記録再生システムに適用される記録再生方法を、コンピュータに実行させるためのプログラムであって、前記記録再生方法が、前記複数の記録再生装置がそれぞれ備える記憶領域を、連続した１つの仮想記憶領域として管理する領域管理ステップと、前記制御装置が送信したコマンドを受信し、該コマンドの内容に応じて、前記仮想記憶領域において記録または再生を行う記録再生ステップとを有することを特徴とする。
本発明に係るプログラムの１つは、複数の記録再生装置と制御装置とを有する記録再生システムに適用される記録再生方法を、コンピュータに実行させるためのプログラムであって、前記記録再生方法が、前記複数の記録再生装置のうち１つに制御モードを設定し、残りの記録再生装置に、前記制御モードが設定された記録再生装置によって制御される被制御モードを設定するモード設定ステップと、前記制御モードが設定された記録再生装置が、前記複数の記録再生装置がそれぞれ備える記憶領域を、連続した１つの仮想記憶領域として管理する領域管理ステップと、前記制御モードが設定された記録再生装置が、前記制御装置が送信したコマンドを受信し、該コマンドの内容に応じて、前記仮想記憶領域において記録または再生を行う記録再生ステップとを有することを特徴とする。
本発明に係るプログラムの１つは、複数の記録再生装置と制御装置とを有する記録再生システムに適用される記録再生方法を、コンピュータに実行させるためのプログラムであって、前記記録再生方法が、前記複数の記録再生装置のうち制御モードが設定された記録再生装置が、前記複数の記録再生装置の各々における少なくとも記憶領域に関する所定情報をそれぞれ収集し、該各所定情報を記憶装置に格納する収集格納ステップと、前記制御モードが設定された記録再生装置が、前記記憶装置に格納された各所定情報に基づき、前記複数の記録再生装置がそれぞれ備える記憶領域を、連続した１つの仮想記憶領域として管理する領域管理ステップと、前記制御モードが設定された記録再生装置が、前記制御装置が送信したコマンドを受信し、該コマンドの内容に応じて、前記仮想記憶領域において記録または再生を行う記録再生ステップとを有することを特徴とする。
さらに、本発明では、上記記録再生方法をプログラムとして記憶した、コンピュータにより読み出し可能な記憶媒体も提供可能となる。
【手続補正１３】
【補正対象書類名】明細書
【補正対象項目名】００２２
【補正方法】変更
【補正の内容】
【００２２】
請求項１、２、５及び８に係る発明によれば、記録再生装置を複数備えたシステムにおいて、単純な操作で複数の記録再生装置に亘って連続してビデオデータ等を自動的に記録でき、しかも同期をとって連続して再生することができる。
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】変更
【補正の内容】
【００２４】
また、請求項３、６及び９に係る発明によれば、複数の記録再生装置に対して自動的に制御モード及び被制御モードの設定を行うことができ、制御モードに設定された記録再生装置が取り除かれたことがあっても、記録再生装置が動作しなくなることを回避することができる。
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】変更
【補正の内容】
【００２６】
また、請求項４、７及び１０に係る発明によれば、被制御モードの記録再生装置が追加されたり、取り除かれたりしたときでも、制御モードが設定された記録再生装置によって記録再生システムの再構築を行うことができる。
【手続補正１８】
【補正対象書類名】明細書
【補正対象項目名】００２７
【補正方法】削除
【補正の内容】